(57)【特許請求の範囲】
【請求項１】
搗精による糠を分離する除糠筒（３）をその軸線方向に機体の前面側から抜き取り可能に備えるとともに、同除糠筒（３）の前面に開口する排出口（３ａ）を開閉する抵抗板機構を備え、この抵抗板機構は、排出口（３ａ）に臨む抵抗板（４）と、この抵抗板（４）を開閉可能に支持する開閉アーム（４ａ）と、この開閉アーム（４ａ）を介して抵抗板（４）を進退駆動する進退軸（６）とからなる精米機の搗精装置において、
上記除糠筒（３）には抵抗板（４）の開閉アーム（４ａ）を一体的に軸支し、この開閉アーム（４ａ）と進退軸（６）とを連結して両者の間には、同進退軸（６）の前進方向動作の係合当接によって抵抗板（４）を排出口（３ａ）に所定圧力で弾性加圧する閉鎖側係合機構（１１）と、同進退軸（６）の後退方向動作の係合当接によって抵抗板（４）を排出口（３ａ）から引き離す開放側係合機構（１２）とを設け、この開放側係合機構（１２）の相互に係合する係合部の一方は、非係合位置に切替え可能な係脱切替部材（１５）によって構成したことを特徴とする精米機の搗精装置。
【請求項２】
前記係脱切替部材（１５）は、前記進退軸（６）からその側方に突出して前記開閉アーム（４ａ）との係合当接が可能な片持ちレバー状に形成するとともにこれを同進退軸（６）に対して回動可能に軸支し、その回動範囲の開閉アーム（４ａ）には、前後方向に貫通して係脱切替部材（１５）との係合を回避する貫通部（４ｂ）を形成したことを特徴とする請求項１記載の精米機の搗精装置。
【発明の詳細な説明】
【技術分野】
【０００１】
本発明は、籾米に搗精圧を加えて精米処理する精米機の搗精装置に関するものである。
【背景技術】
【０００２】
特許文献１に示すように、金網状の除糠筒前端の排出口を塞ぐように抵抗板を備え、この抵抗板を開閉調節する抵抗板開閉駆動部を除糠筒と一体化した除糠筒ユニットとして構成した精米機の搗精装置が知られている。この搗精装置は、精米機本体に対して抵抗板開閉駆動部が一体的に付帯したまま除糠筒を着脱できるので、除糠筒の目詰まりの清掃や部品交換の際は、抵抗板伝動系の分解組立に伴う圧力設定調節等の煩雑な作業を要することなく、除糠筒ユニットの着脱作業によって復旧することができるので、抵抗板圧力特性を維持して精米稼動を再開することができる。
【特許文献１】特開２００４−３５８４２８号公報
【発明の開示】
【発明が解決しようとする課題】
【０００３】
しかしながら、大型構成の精米機の場合は、除糠筒そのものは重量が小さいにもかかわらず、抵抗板開閉部を含む一体構成の除糠筒ユニットとしての重量が大きくなるので、着脱作業に支障を来すという問題を招いている。
【０００４】
本発明の目的は、大型構成の精米機にあっても、除糠筒の着脱に際して、抵抗板開閉伝動系の煩雑な分解調節を要することなく、取扱い重量を小さく抑えてメンテナンス作業の際の取扱いを容易化することができる精米機の搗精装置を提供することにある。
【課題を解決するための手段】
【０００５】
請求項１に係る発明は、搗精による糠を分離する除糠筒をその軸線方向に機体の前面側から抜き取り可能に備えるとともに、同除糠筒の前面に開口する排出口を開閉する抵抗板機構を備え、この抵抗板機構は、排出口に臨む抵抗板と、この抵抗板を開閉可能に支持する開閉アームと、この開閉アームを介して抵抗板を進退駆動する進退軸とからなる精米機の搗精装置において、上記除糠筒には抵抗板の開閉アームを一体的に軸支し、この開閉アームと進退軸とを連結して両者の間には、同進退軸の前進方向動作の係合当接によって抵抗板を排出口に所定圧力で弾性加圧する閉鎖側係合機構と、同進退軸の後退方向動作の係合当接によって抵抗板を排出口から引き離す開放側係合機構とを設け、この開放側係合機構の相互に係合する係合部の一方は、非係合位置に切替え可能な係脱切替部材によって構成したことを特徴とする。
【０００６】
上記開閉アームと進退軸との間には閉鎖側係合機構および開放側係合機構が介設し、その閉鎖側係合機構により、進退軸の前進方向動作で係合当接される開閉アームを介して抵抗板が排出口に弾性加圧されることにより所定の搗精圧が確保され、また、開放側係合機構により、その係脱切替部材が係合位置にある場合は、進退軸の後退動作により抵抗板が排出口から引き離されて排出口が開放され、また、係脱切替部材が非係合位置に切替えられた場合は、進退軸の後退方向についての相互係合がなされないことから、開放側係合機構による係合当接作用を受けることなく進退軸と開閉アームの相互間が分離可能となる。
【０００７】
請求項２に係る発明は、請求項１の構成において、前記係脱切替部材は、前記進退軸からその側方に突出して前記開閉アームとの係合当接が可能な片持ちレバー状に形成するとともにこれを同進退軸に対して回動可能に軸支し、その回動範囲の開閉アームには、前後方向に貫通して係脱切替部材との係合を回避する貫通部を形成したことを特徴とする。
上記開放側係合機構の相互係合部の一方をなす係脱切替部材は、片持ちレバー状で進退軸からその側方に突出して形成してこれが回動可能に軸支され、開閉アームとの係合位置においては、進退軸の後退方向動作に伴う係合当接により抵抗板の開放側に作用し、また、開閉アームの前後方向に貫通形成した貫通部の位置では、前後方向に透過されて相互間の係合が回避され、このとき、係脱切替部材を進退軸側に残して除糠筒側が分離可能となる。
【発明の効果】
【０００８】
本発明により以下の効果を奏する。
請求項１の発明は、閉鎖側係合機構により開閉アームを介して抵抗板を弾性加圧することにより所定の搗精圧が確保され、この閉鎖側係合機構と別構成の開放側係合機構に係脱切替部材を設けることにより、その係合位置では進退軸の後退方向動作によって排出口が開放され、また、係脱切替部材を非係合位置に切替えることにより、進退軸の後退方向についての係合当接作用を受けることなく進退軸と開閉アームの相互間が分離可能となる。
【０００９】
このように、開放側係合機構について非係合位置への切替え操作により、抵抗板機構の進退軸を含む駆動側から分離して除糠筒側を抜き取ることができるので、大型構成の精米機にあっても、除糠筒のメンテナンスの際の取扱い重量が最小限に抑えられるとともに、メンテナンス後の除糠筒側の再装着操作と係脱切替部材の復旧操作とにより、開閉アームと進退軸との間の係合関係を容易に復旧できることから、搗精圧設定の変動を招くことなく簡易な操作で元通りの精米運転を再開することができる。
【００１０】
請求項２の発明は、進退軸から突出して回動可能な片持ちレバー状に係脱切替部材を構成することにより、係合位置においては排出口が開放可能となり、また、開閉アームの前後方向に貫通形成した貫通部の位置である非係合位置に係脱切替部材を回動操作することによって相互間の係合が回避されることから、係脱切替部材の簡易な回動操作により、係脱切替部材と進退軸およびその駆動部を精米機本体側に残した状態で、除糠筒側の着脱が可能となる。したがって、簡易な構成の開放側係合機構により、係脱切替部材の保護を確保したうえで、除糠筒のメンテナンスをすることができる。
【発明を実施するための最良の形態】
【００１１】
上記技術思想に基づいて具体的に構成された実施の形態について以下に図面を参照しつつ説明する。
精米機の搗精装置は、その縦断側面図を図１に示し、また、同図のＡ矢視による前面カバーの部分破断による部分図を図２に示すように、精米機上部の玄米投入部を構成する玄米ホッパ１と、その玄米を受けて精白する搗精ロール２と、その周りを囲んで精米を案内するとともに搗精による分離糠を吸い出すための多孔の筒状材３ｆからなる除糠筒３と、この除糠筒３の前端に開口する排出口３ａを開閉する抵抗板４による抵抗板機構等を備え、これに前面カバー３ｄを取付けて構成される。
【００１２】
詳細には、搗精ロール２は、精米機の背面位置に備えた図示せぬ駆動装置と連結して回転駆動される。除糠筒３は、下方に構成された吸引ダクト５ａに臨んで配置されるとともに、搗精部主枠を構成するリング状の支持ベース５ｂ、５ｃに嵌合するようにその前面から軸線方向に沿って抜き挿し可能に構成される。また、抵抗板４は、開閉可能に支持する開閉アーム４ａと、この開閉アーム４ａと連結して抵抗板４を開閉するように進退動作する進退軸６と、その進退駆動部７とからなる抵抗板機構を構成する。
【００１３】
抵抗板機構の開閉アーム４ａは、抵抗板機構の要部拡大による縦断側面図を図３に示すように、排出口３ａを形成した除糠筒３の前端部に鍔状に形成した前板３ｃに支軸３ｅを設けて軸支する。開閉アーム４ａの上端部に貫通するように進退軸６を配置して両者を連結し、その連結部には、進退軸６の前進方向動作の係合当接によって抵抗板４を排出口３ａに弾性加圧する閉鎖側係合機構１１と、進退軸６の後退方向動作の係合当接によって抵抗板４を排出口３ａから引き離す開放側係合機構１２とを個別に形成する。これら閉鎖側係合機構１１と開放側係合機構１２との間には、個別の係合動作を確保しつつ、次に述べる閉鎖側係合機構１１による抵抗板４の弾性加圧力の調整幅を確保するために所定の距離Ｂをとる。
【００１４】
閉鎖側係合機構１１は、開閉アーム４ａと進退軸６との間でそのいずれかに弾発部を設け、この弾発部を介して開閉アーム４ａを押し出すように互いに係合可能に構成する。弾発部を進退軸６に構成する形態では、進退軸６にスプリングホルダ６ａを形成、このスプリングホルダ６ａにコイルスプリング１３を取付け、このコイルスプリング１３によって開閉アーム４ａの背面側から係合当接可能にスライドリング１４を設けて構成する。このスライドリング１４に作用するコイルスプリング１３の弾発力は、進退軸６の進出位置に応じて調節することができるので、抵抗板４を所定の圧力で排出口３ａに弾性加圧することができる。
【００１５】
開放側係合機構１２は、開閉アーム４ａを引き戻すように互いに係合可能に構成し、その両係合部の一方を非係合位置に切替え動作可能な係脱切替部材１５を設ける。この係脱切替部材１５は、相互に係合する係合部をそれぞれの側から分離することなしに係合回避できるように構成することにより、係合回避状態における取扱いを簡易化することができる。
【００１６】
係脱切替部材１５を進退軸６の側に構成する例については、進退軸６からその側方に突出して開閉アーム４ａと係合当接可能な片持ちレバーによって構成し、これを進退軸６の先端の突出軸６ａに回動可能に波形座金１６を介して軸支する。その係合相手の開閉アーム４ａには、係脱切替部材１５の係合範囲の一部について相互の係合を回避するために係脱切替部材１５の透過動作を許容する前後方向の貫通部４ｂを形成する。この貫通部４ｂの位置まで係脱切替部材１５を回動操作Ｃ（図２参照）することにより、開閉アーム４ａと進退軸６との間の係合を回避することができ、また、可動部である係脱切替部材１５を搗精部側に残して除糠筒３の側を取り出すことができる。
【００１７】
また、上記係脱切替部材１５は、実施構成例のように横長部材を中央支持して２つの片持ちレバーを左右両側方に一体に形成することによって安定係合を確保することができ、その両端が係合可能な縦長のスリット状の切欠によって貫通部４ｂを形成することにより、着脱操作性を向上することができる。
【００１８】
上述の如く構成された搗精装置は、進退駆動部７の制御によって進退軸６が前進動作されると、閉鎖側係合機構１１のスライドリング１４により係合当接される開閉アーム４ａを介して抵抗板４が排出口３ａに弾性加圧されることから、コイルスプリング１３を介して進退軸６の前進位置に応じた搗精圧が確保される。
【００１９】
開放側係合機構１２の係脱切替部材１５が係合位置にある場合は、図４の残米排出時の縦断側面図に示すように、進退軸６の後退方向動作により係脱切替部材１５が開閉アーム４ａと係合当接してから更に所定距離Ｄの後退動作により、抵抗板４が排出口３ａを開放して除糠筒３の内部の残留米を排出することができる。また、開閉アーム４ａの貫通部４ｂの角度位置に係脱切替部材１５を回動することにより、進退軸６の後退方向についての相互係合が回避されることから、開放側係合機構１２の作用を受けることなく進退軸６と開閉アーム４ａの相互間が分離可能となる。
【００２０】
したがって、除糠筒の縦断側面図を図５に示すように、開閉アーム４ａを含む除糠筒３の側を搗精部の支持ベース５ｂ、５ｃから抜き取り、多孔筒部３ｆの目詰まりの清掃や部品交換によってメンテナンスを行った後、逆動作によってそのまま搗精部に装着することができる。
【００２１】
このように、開放側係合機構１２についての係合待避操作により進退軸６を含む駆動側から分離して除糠筒３の側の抜き取りが可能となるので、大型構成の精米機にあっても、除糠筒３のメンテナンスの際の取扱い重量が最小限に抑えられるとともに、メンテナンス後の除糠筒３の側の再装着操作と係脱切替部材１５の係合位置への回動操作とにより、開閉アーム４ａと進退軸６との間の係合関係を容易に復旧できることから、搗精設定の変動を招くことなく簡易な操作で元通りの精米運転を再開することができる。
【００２２】
また、係脱切替部材１５は、進退軸６から突出する片持ちレバー状として進退軸６に回動可能に軸支し、これを開閉アーム４ａに貫通形成した貫通部４ｂの位置に回動することにより、相互間の係合当接なしに透過可能となることから、進退軸６と係脱切替部材１５を精米機本体側に残した状態で開閉アーム４ａを含む除糠筒３の側の着脱が可能となる。したがって、簡易な構成の開放側係合機構１２により、係脱切替部材１５の保護を確保したうえで、除糠筒３のメンテナンス作業をすることができる。
【図面の簡単な説明】
【００２３】
【図１】搗精装置の縦断側面図
【図２】図１におけるＡ矢視による前面カバーの一部破断による部分図
【図３】抵抗板機構の要部拡大による縦断側面図
【図４】残米排出時の搗精装置の縦断側面図
【図５】除糠筒部の縦断側面図
【符号の説明】
【００２４】
３      除糠筒
３ａ    排出口
３ｃ    前板
３ｅ    支軸
４      抵抗板
４ａ    開閉アーム
４ｂ    貫通部
５ｂ    支持ベース
５ｃ    支持ベース
６      進退軸
６ａ    突出軸
７      進退駆動部
１１    閉鎖側係合機構
１２    開放側係合機構
１３    コイルスプリング
１４    スライドリング
１５    係脱切替部材
１６    波形座金
Ｃ      回動角度
【図１】
0004810551.tif 000002
【図２】
0004810551.tif 000003
【図３】
0004810551.tif 000004
【図４】
0004810551.tif 000005
【図５】
0004810551.tif 000006